(57)【特許請求の範囲】
【請求項１】
情報信号の記録媒体となるディスクが収納され、記録及び／又は再生装置に装着可能とされたディスクカートリッジにおいて、
上記ディスクが載置される載置部が設けられたトレイと、
上記トレイを移動可能に保持するホルダと、
上記記録及び／又は再生装置に設けられた被係合部と係合する係合部を備え、
上記トレイが上記記録及び／又は再生装置から外方に引出される際に上記係合部と上記記録及び／又は再生装置に設けられた上記被係合部と係合する状態に変化し、上記係合部と上記被係合部とが係合状態にあるとき、上記トレイが上記ホルダに対して移動可能とされ、上記記録及び／又は再生装置からの引出しが可能とされるディスクカートリッジ。
【請求項２】
上記トレイが記録及び／又は再生装置への挿入端に位置して上記被係合部と上記係合部の係合を解除させる解除手段を有する請求の範囲第１項記載のディスクカートリッジ。
【請求項３】
上記係合部は上記トレイの上記ホルダに対する移動方向に平行な中心線に対して対称にそれぞれ形成された第１の係合凹部と、第２の係合凹部とを有する請求の範囲第１項記載のディスクカートリッジ。
【請求項４】
上記解除手段は、上記ディスク載置部が上記ホルダによって覆われる位置に上記トレイが上記ホルダに対し移動されるとき、上記被係合部と上記係合部との係合を解除させる請求の範囲記載第２項のディスクカートリッジ。
【請求項５】
上記ホルダに上記記録及び／又は再生装置に設けられる保持手段が係合する係合孔が設けられ、上記ディスク載置部が上記ホルダによって覆われるように上記ホルダと上記トレイが重ね合わされたとき、上記係合孔に連通して上記保持手段が係合する係合凹部が設けられてなる請求の範囲第１項記載のディスクカートリッジ。
【請求項６】
上記トレイは上記記録及び／又は再生装置に設けられる記録及び／又は再生手段を臨ませる開口部を有する請求の範囲第１項記載のディスクカートリッジ。
【請求項７】
上記ホルダは上記トレイのディスク載置部に載置されたディスクを上記記録及び／又は再生装置に設けられるディスク回転手段と共同してクランプするクランプ部材を有する請求の範囲第６項記載のディスクカートリッジ。
【請求項８】
上記トレイは上記ディスク載置部における上記ディスクの外周位置に上記ディスクを支持する複数のディスク支持部材を有する請求の範囲第１項記載のディスクカートリッジ。
【請求項９】
上記ディスクカートリッジが上記記録及び／又は再生装置に装着されたとき、上記記録又は／及び再生装置に設けられた位置決めピンと係合する位置決め孔を有する請求の範囲第１項記載のディスクカートリッジ。
【請求項１０】
上記ホルダと上記トレイとの間に上記トレイの上記ホルダに対する移動をガイドするガイド手段が設けられている請求の範囲第１項記載のディスクカートリッジ。
【請求項１１】
上記ガイド手段は、上記トレイの上記ホルダに対する移動方向と平行な相対向する一対の側面と、上記ホルダに設けられて上記トレイの上記一対の側面にそれぞれ対向する一対の側壁に形成されたレール部と上記レール部が係合するガイド溝とからなる請求の範囲第10項記載のディスクカートリッジ。
【請求項１２】
上記トレイの上記ホルダからの抜け落ちを防止する抜け落ち防止手段が上記ホルダと上記トレイの間に設けられている請求の範囲第１項記載のディスクカートリッジ。
【請求項１３】
上記抜け落ち防止手段は上記トレイの上記ディスク載置部が形成された一方の面と上記ホルダの上記ディスク載置部を覆う面とにそれぞれ形成された突部と該突部が係合する一端側が閉塞されたガイド溝からなる請求の範囲第12項記載のディスクカートリッジ。
【請求項１４】
上記ディスク載置部が上記ホルダによって覆われる位置にあるとき、上記ホルダと上記トレイの相対移動を規制する移動規制手段が上記ホルダと上記トレイとの間に設けられている請求の範囲第１項記載のディスクカートリッジ。
【請求項１５】
上記トレイは上記ホルダに対して独立して把持するための把持部を有する請求の範囲第１項記載のディスクカートリッジ。
【請求項１６】
上記ホルダは上記ディスク載置部が上記ホルダによって覆われる位置にあるとき、上記トレイと一体に把持するための把持部を有する請求の範囲第１項記載のディスクカートリッジ。
【請求項１７】
上記トレイは上記ホルダに移動可能に支持された延長手段を介して上記ホルダに移動可能に支持される請求の範囲第１項記載のディスクカートリッジ。
【請求項１８】
上記延長手段は、上記トレイの移動方向と平行な相対向する両側に設けられている請求の範囲第17項記載のディスクカートリッジ。
【請求項１９】
上記係合部は上記トレイの上記記録及び／又は再生装置への挿入端側に設けられている請求の範囲第１項記載のディスクカートリッジ。
【発明の詳細な説明】
技術分野
本発明は、情報信号の記録媒体となる光ディスクや光磁気ディスク等のディスクを交換可能に収納するディスクカートリッジに関し、されに詳しくは、ディスクを外方に臨ませる開口部を開閉するシャッタを有するディスクカートリッジが装着されるディスク記録及び／又は再生装置にこのディスクカートリッジに代えてローディング可能となすディスクカートリッジに関する。
背景技術
従来、情報信号の記録媒体として光ディスクや光磁気ディスク等のディスクが用いられている。
この種のディスクにあっては、ディスク単体でディスク記録及び／又は再生装置への装着が行われるものと、ディスクカートリッジに収納され、このディスクカートリッジに収納されたままの状態で、ディスク記録及び／又は再生装置へのローディングが行われるものがある。
ディスクカートリッジに収納されることなくディスク単体でローディングを行うようにしたディスク記録及び／又は再生装置として、ディスクトレイを用いたトレイローディング方式のものが用いられている。
このトレイローディング方式のディスク記録及び／又は再生装置は、図１に示すように、装置本体201に単体で取り扱われるディスク202をローディングするためのディスクトレイ203を備えている。ディスクトレイ203は、一方の面側にディスク202が載置される凹状をなすディスク載置部204が設けられ、装置本体201に設けられた開口部205を介して、ディスク載置部204を装置本体201の外方に突出させた第１の位置と、装置本体201内に収納された第２の位置とのに亘って移動可能に設けられている。
ディスク202をローディングするには、ディスクトレイ203を装置本体201から装置本体201の外方の第１の位置に移動させ、ディスク202をディスク載置部204に載置する。次いで、ディスクトレイ203を装置本体201内の第２の位置に移動させることにより、ディスク載置部204に載置されたディスク202が装置本体201内に設けた記録及び／又は再生部にローディングされる。
このように、ディスク202を単体でローディングするようにしたディスク記録及び／又は再生装置にあっては、ローディング中にディスク202を損傷させてしまうおそれがある。ディスク202が損傷されると、情報信号の記録再生に欠落を生じさせてしまう。
ディスク202の保護を図るため、このディスク202を収納するディスクカートリッジ211が用いられている。このディスクカートリッジ211は、ディスク202を交換可能に収納するものであり、図２に示すように、ディスク202を収納するためのカートリッジ本体212と、カートリッジ本体212に設けたディスク202の装脱を行うための開放された側を開閉する蓋体214とを備える。カートリッジ本体212の底面部212aには、ディスク202が載置されるディスク載置部215が設けられ、ディスク202はディスク載置部215に載置されて収納される。カートリッジ本体212の底面部212aには、ディスク202の中央部から外周側に亘る部分を外方に臨ませるための開口部216が設けられている。このディスクカートリッジ211に収納されたディスク202は、蓋体214を開放することによって自在に交換が可能である。
このようにディスク202を収納したディスクカートリッジ211を用いるディスク記録及び／又は再生装置として、ディスクトレイを用いることなくディスクカートリッジ211を直接装置本体内にローディングし得るようにしたスロットイン方式のものが用いられている。このスロットイン方式のディスク記録及び／又は再生装置は、図３に示すように、装置本体221の前面側に設けたカートリッジ挿脱口222を介してディスクカートリッジ211のローディングを行うようにしたものである。
ところで、ユーザは、再生専用型の光ディスクなどある種のディスクにあっては、ローディング操作の迅速性又は容易性を実現するため、ディスク単体でローディングすることを希望する場合がある。そこで、ディスク202を収納したディスクカートリッジ211とともにディスク202を単体でローディングすることを可能としたディスク記録及び／又は再生装置が提案されている。このディスク記録再生装置は、トレイローディング方式を採用したものであって、図４に示すように、ディスク202又はディスクカートリッジ211を載置可能としたカートリッジ載置部231を設けたディスクトレイ232を有する。このディスクトレイ232は、一方の面側に設けられたカートリッジ載置部231を装置本体23３の外方に突出させた第１の位置と、装置本体23３内に収納させた第２の位置との間に亘って移動可能に配置されている。
このディスク記録及び／又は再生装置において、ディスク20２を収納したディスクカートリッジ211をローディングするには、カートリッジ載置部231にディスクカートリッジ211を載置し、ディスクトレイ232を装置本体233内の第２の位置に移動させることにより、カートリッジ載置部231に載置されたディスクカートリッジ211が装置本体23３内のカートリッジ装着部に装着され、ディスクカートリッジ211に収納したディスク202が記録及び／又は再生部にローディングされる。
また、ディスク202を単体でローディングする場合には、カートリッジ載置部231内に設けたディスク載置部にディスク202を載置し、ディスクトレイ232を装置本体233内の第２の位置に移動させることにより、ディスク載置部に載置されたディスク202が装置本体23３内に設けた記録及び／又は再生部にローディングされる。
ディスク単体及びディスクカートリッジの双方をローディング可能とすることにより、ディスクの種類に応じたローディングを選択することができ、操作性の向上を実現することができる。しかし、ディスクをディスクカートリッジに収納することなくローディングを行う場合、ディスクへの塵埃の付着を防止し損傷を受けることを確実に防止することが困難である。
ディスクの確実な保護を図るためには、ディスクカートリッジに収納することが望ましい。
ところで、上述したディスク202を交換可能に収納したディスクカートリッジ211において、ディスク202の交換を行うには、一旦ディスク記録及び／又は再生装置からイジェクトし、蓋体214を開閉操作して他のディスク202と交換を行う必要があり、交換作業が繁雑となってしまう。
ディスク202の交換作業を少なくし、又はなくすためにはディスク202の数に対応したディスクカートリッジ211を用意する必要があり、ディスク202が必要となってしまう。
発明の開示
本発明の目的は、ディスクの交換を容易となすため、記録及び／又は再生装置に装着したままの状態でディスクの交換を可能となすディスクカートリッジを提供することにある。
本発明の他の目的は、従来提案され又は用いられているディスクを外方に臨ませる開口部を開閉するシャッタを有するディスクカートリッジがローディングされるディスク記録及び／又は再生装置にこのディスクカートリッジに代えてローディングすることを可能となすディスクカートリッジを提供することにある。
本発明のさらに他の目的は、記録及び／又は再生装置に装着したままの状態でディスクの交換を可能となすとともに、ディスクとともにディスクカートリッジの全体を容易に記録及び／又は再生装置から取り出すことを可能となし、他のディスクカートリッジを迅速に記録及び／又は再生装置にローディングさせることを可能となすディスクカートリッジを提供することにある。
本発明にさらに他の目的は、収納したディスクの交換作業を安全且つ確実に行うことができるディスクカートリッジを提供することにある。
本発明のさらに他の目的は、ディスクの交換を容易に行うことを可能としながら、ディスクの確実な保護を図ることができるディスクカートリッジを提供することにある。
上述のような目的を達成するために提案される本発明に係るディスクカートリッジは、情報信号の記録媒体となるディスクが収納されるとともに、上記ディスクが載置される載置部が設けられたトレイと、上記トレイを移動可能に保持するホルダと、上記記録及び／又は再生装置に設けられた被係合部と係合する係合部を備えている。そして、上記トレイが上記記録及び／又は再生装置から外方に引出される際に上記係合部と上記記録及び／又は再生装置に設けられた上記被係合部とが係合する状態に変化し、上記係合部と上記被係合部とが係合状態にあるとき、上記トレイが上記ホルダに対し移動可能となされ、上記記録及び／又は再生装置からの引き出しを可能とされている。
上記トレイには、記録及び／又は再生装置への挿入端側に位置して上記被係合部と上記係合部の係合を解除させる解除手段が設けられる。この係合解除手段は、上記ディスク載置部が
上記ホルダによって覆われる位置に上記トレイが上記ホルダに対し移動されるとき、上記被係合部の上記係合部に対する係合を解除させる。
上記トレイには、上記ディスク載置部における上記ディスクの外周位置にディスクを支持する複数のディスク支持部材が設けられ、ディスク載置部に載置されたディスクの脱落を防止する。
そして、上記ホルダと上記トレイとの間には、上記トレイの上記ホルダに対する移動をガイドするガイド手段が設けられ、上記トレイのホルダに対する安定した移動が実現される。
また、上記ホルダと上記トレイとの間には、上記トレイの上記ホルダからの抜け落ちを防止する抜け落ち防止手段が設けられ、上記トレイの上記ホルダからの容易な脱落が防止され、ディスク載置部に載置されたディスクの確実な保護が実現される。
さらに、上記ホルダと上記トレイとの間には、上記載置部が上記ホルダによって覆われる位置にあるとき、上記ホルダと上記トレイの相対移動を規制する移動規制手段が設けられ、ディスク載置部に載置されたディスクの確実な保護が実現される。
さらにまた、上記トレイには、上記ホルダに対して独立して把持するための把持部が設けられることにより、上記トレイのみを記録及び／又は再生装置から引き出しディスクの交換を可能となす。
さらにまた、上記ホルダには、上記ディスク載置部が上記ホルダによって覆われる位置にあるとき、上記トレイと一体に把持するための把持部が設けられ、この把持部を把持して引き出すことにより上記ホルダと上記トレイとを一体に記録及び／又は再生装置から引き出し、記録及び／又は再生装置に対し他のディスクカートリッジをローディングすることを可能となす。
本発明の更に他の目的、本発明によって得られる具体的な利点は、以下に説明される実施例の説明から一層明らかにされるであろう。
【図面の簡単な説明】
図１は、ディスクを単体でローディングするようにしたディスク記録及び／又は再生装置を示す斜視図である。
図２は、ディスクを交換可能に収納する従来のディスクカートリッジを示す斜視図である。
図３は、スロットイン方式を採用したディスク記録及び／又は再生装置を示す斜視図である。
図４は、ディスク単体及びディスクカートリッジをローディングすることを可能となすディスク記録及び／又は再生装置を示す斜視図である。
図５は、従来提案されている第１のディスクカートリッジを示す斜視図である。
図６は、第１のディスクカートリッジに設けられたシャッタが開放された状態を底面側見た斜視図である。
図７は、第１のディスクカートリッジの平面図である。
図８は、シャッタの取り付け状態を示す第１のディスクカートリッジの正面図である。
図９は、第１のディスクカートリッジが用いられるディスク記録及び／又は再生装置を示す斜視図である。
図10は、ディスク記録及び／又は再生装置に第１のディスクカートリッジを挿入した状態を示す平面図である。
図11は、ディスク記録及び／又は再生装置に第１のディスクカートリッジをローディングした状態を示す平面図である。
図12は、本発明に係る第２のディスクカートリッジを斜視図である。
図13は、ホルダからトレイを引き出した状態を示す平面図である。
図14は、第２のディスクカートリッジを構成するホルダの平面図である。
図15は、上記ホルダの底面図である。
図16は、上記ホルダの側面図である。
図17は、本発明に係る第２のディスクカートリッジを構成するトレイの平面図である。
図18は、上記トレイの底面図である。
図19は、上記トレイの側面図である。
図20は、本発明に係る第２のディスクカートリッジをディスク記録及び／又は再生装置に挿入した状態を示す斜視図である。
図21は、第２のディスクカートリッジをカートリッジ引き込み機構に保持させた状態を示す平面図である。
図22は、第２のディスクカートリッジをディスク記録及び／又は再生装置にローディングした状態を示す平面図である。
図23は、第２のディスクカートリッジのトレイをディスク記録及び／又は再生装置から途中まで引き出した状態を示す平面図である。
図24は、ディスクの交換を可能となす引き出し位置に上記トレイを引き出した状態を示す平面図である。
図25は、本発明に係る第２のディスクカートリッジの他の例を示し、トレイをホルダから引き出した状態を示す平面図である。
図26は、トレイをホルダから引き出した状態を示す上記第２のディスクカートリッジの側面図である。
図27は、トレイをホルダに挿入した状態を示す上記第２のディスクカートリッジの側面図である。
図28は、本発明に係る第２のディスクカートリッジのさらに他の例を示し、トレイをホルダから引き出した状態を示す平面図である。
発明を実施するための最良の形態
以下、本発明に係るディスクカートリッジを図面を参照して説明する。
本発明に係るディスクカートリッジは、従来提案されているディスクを交換可能としたディスクカートリッジがローディングされるディスク記録及び／又は再生装置にこのディスクカートリッジに代えてローディングすることを可能としたものである。
まず、本発明に係るディスクカートリッジがローディングされるディスク記録及び／又は再生装置にローディングされる従来提案されている第１のディスクカートリッジ１を説明する。
第１のディスクカートリッジ１は、図５及び図６に示すように、予め情報信号が記録された再生専用型、あるいは情報信号の書込を可能となす光ディスク２を交換可能に収納するものである。このディスクカートリッジ１に収納される光ディスク２は、直径を12cmとなし、中心部にセンター孔2aが設けられている。
第１のディスクカートリッジ１は、不透明な合成樹脂を用いて形成された矩形状をなすカートリッジ本体３と、このカートリッジ本体３の一方の面側をほぼ全領域に亘って開閉する蓋体５を有する。
カートリッジ本体３の蓋体５によって開閉される一方の面側のほぼ中央部には、光ディスク２が収納されるように載置される凹状をなすディスク載置部６が設けられている。このディスク載置部６の底面部には、図６に示すように、カートリッジ本体３に収納された光ディスク２のセンター孔2aが設けられた中央部から外周側に亘る領域を外方に臨ませるための開口部７が形成されている。この開口部７には、第１のディスクカートリッジ１がディスク記録及び／又は再生装置にローディングされたとき、記録及び／又は再生装置側に設けれる記録及び／又は再生部を構成するディスク回転操作機構のディスクテーブル及び光ピックアップが臨まされる。
蓋体５は、透明な合成樹脂を用いて板状に形成され、基端部側の両側に突設した図示しない支軸をカートリッジ本体３のディスク記録及び／又は再生装置への挿入端側の両側に設けた枢支部に枢支させ、この枢支部を中心に図５中矢印Ａ方向又は矢印Ｂ方向に回動可能に支持されている。蓋体５とカートリッジ本体３との間には、図示しないが、蓋体５が図５中矢印Ｂ方向に回動され、ディスク載置部６を閉塞したとき、蓋体５をカートリッジ本体３に係止させるロック機構が設けられている。
ディスク載置部５を閉塞する蓋体５は、カートリッジ本体３への係止を解除し、枢支部を中心に図５中矢印Ａ方向に回動することによりディスク載置部６を開放することができる。ディスク載置部６が開放されることにより、カートリッジ本体３に収納された光ディスク２の交換を行うことができる。
蓋体５のディスク載置部６に対向する内面側の中央部には、第１のディスクカートリッジ１がディスク記録及び／又は再生装置にローディングされたとき、記録及び／又は再生装置側に設けられるディスク回転操作機構のディスクテーブルと共同してディスク載置部６に載置された光ディスク２をクランプするクランプ部材８が回転自在に取り付けられている。このクランプ部材８には、金属板等の磁性板が設けられ、ディスクテーブル側に設けられたマグネットに吸引されて光ディスク２をクランプする。
そして、カートリッジ本体３の外方に臨む他方の面側には、図６及び図７に示すように、ディスク記録及び／又は再生装置への挿入端となる一方の端面3aを含み他方の端面3bに近接した位置に亘り、カートリッジ本体３の左右の両側面に亘る広い領域に凹状をなすシャッタ摺動部９が形成されている。シャッタ摺動部９には、開口部７を開閉するシャッタ11が配設されている。このシャッタ11は、薄いステンレス等の金属板を用いて形成され、開口部７を閉塞するに足る大きさを有するほぼ矩形状のシャッタ部11aを有し、シャッタ部11aの一端側に断面コ字状に折り曲げられた取付部11bが設けられている。
シャッタ11には、カートリッジ本体３の一方の端面3a側に取付部11bを嵌合させ、カートリッジ本体３の一方の端面3a側に位置して、図６及び図８中矢印Ｃ方向及び矢印Ｄ方向に移動可能に配設されたスライド部材12に取付部11bを固定することにより、スライド部材12と一体に図６及び図８中矢印Ｃ方向及び矢印Ｄ方向に移動することにより開口部７を開閉する。
スライド部材12は、カートリッジ本体３内の一方の端面3a側に配設されたガイド軸13に支持され、このガイド軸13にガイドされて図６及び図８中矢印Ｃ方向及び矢印Ｄ方向に移動する。
なお、シャッタ11は、スライド部材12を付勢する図示しない引っ張りコイルバネにより開口部７を閉塞する図６及び図８中矢印Ｃ方向に付勢され、カートリッジ本体３に形成されたストッパ14に当接されることにより、図７に示すように、開口部７を閉塞した位置に保持されている。
シャッタ11は、シャッタ部11aの先端部11cをカートリッジ本体３の他方の面側にシャッタ11の移動方向に亘って配設されたスライドガイド板16の下面側に挿入されている。シャッタ11は、シャッタ部11aの先端部11cがスライドガイド板16により支持されることにより、シャッタ摺動部９から浮き上がることが規制され、安定した状態で開口部７を開閉する方向に移動可能となされている。
シャッタ11に形成された取付部11bのカートリッジ本体３の一方の端面3aに対向する面には、図８に示すように、第１のディスクカートリッジ１が装着されるディスク記録及び／又は再生装置側に設けられるシャッタ開閉機構を構成するシャッタ開閉ピンが係合する一対の開閉ピン係合部18,18が切り欠き形成されている。
そして、カートリッジ本体３の開口部７が形成された他方の面側であって他方の端面3b側の両側には、図６及び図７に示すように、第１のディスクカートリッジ１がディスク記録及び／又は再生装置のカートリッジ装着部に装着されたとき、カートリッジ装着部に設けられた位置決めピンが係合する一対の位置決めピン係合孔19,19が設けられている。
また、カートリッジ本体３のディスク記録及び／又は再生装置への挿入端となる一方の端面3a側の両側には、図６に示すように、ディスク記録及び／又は再生装置側に設けられるカートリッジ引き込み機構の係合爪が係合する係合凹部20が設けられている。第１のディスクカートリッジ１は、ディスク記録及び／又は再生装置に対し所定量挿入すると、係合凹部20にカートリッジ引き込み機構の係合爪が係合し、カートリッジ引き込み機構の駆動によって自動的にカートリッジ装着部へのローディングが行われる。
上述のように構成された第１のディスクカートリッジ１が装着されるディスク記録及び／又は再生装置21は、図９に示すように、装置本体22の前面側にカートリッジ挿脱口23が設けられ、このカートリッジ挿脱口２３を介してディスクカートリッジ１の挿脱が行われる。すなわち、このディスク記録及び／又は再生装置21は、スロットイン方式のローディングを行うものとして構成されている。
装置本体22内には、カートリッジ挿脱口23を介して装置本体22内に挿入されたディスクカートリッジ１を保持するカートリッジ保持板24が配設されている。カートリッジ保持板24は、金属板によって形成されたは、相対向する両側に装置本体22内に挿入されたディスクカートリッジ１の両側が係合する断面コ字状をなすカートリッジ保持部25,26が設けられている。装置本体22内に挿入されたディスクカートリッジ１は、カートリッジ保持部25,26に両側を保持され、これらカートリッジ保持部25,26に挿入方向がガイドされて装置本体22内に挿入されていく。
装置本体22の内方側には、カートリッジ挿脱口23を介して装置本体22内に挿入されたディスクカートリッジ１のシャッタ11が取り付けられた挿入端に対向するようにしてシャッタ開閉機構27が設けられている。シャッタ開閉機構27は、カートリッジ保持板24上に植立された支軸28に基端部を支持させ、この支軸28を中心に回動可能に取り付けられた回動アーム29を備え、回動アーム29の先端側に第１のディスクカートリッジ１のシャッタ１に設けた開閉ピン係合部18に係合する開閉ピン30を植立している。シャッタ開閉ピン30にはローラ31が嵌装されている。回動アーム29は、支軸28に巻装されたねじりコイルバネ32により、図９中矢印Ｅ方向に回動付勢されている。この回動アーム29は、カートリッジ保持板24に設けた回動規制片33に一側面を当接させて回動付勢位置が規制されている。このとき、開閉ピン30は、カートリッジ保持板24上に挿入されてくる第１のディスクカートリッジ１のシャッタ11に設けた一方の開閉ピン係合部18に対向されている。
さらに、装置本体22の内方側には、装置本体22内に所定量挿入された第１のディスクカートリッジ１に係合し、このディスクカートリッジ１を装置本体１の内方にさらに引き込み操作するカートリッジ引き込み機構35が設けられている。このカートリッジ引き込み機構35は、図９に示すように、カートリッジ保持板24に植立された支軸36に基端部を支持させ、
この支軸36を中心に回動可能に取り付けられた第１の回動レバー37と、この第１の回動レバー37の先端側に支軸38を介して回動可能に連結された第２の回動レバー39と、この第２の回動レバー39の先端側に取り付けられたカートリッジ保持部材40とを備える。第２の回動レバー39の先端側には、係合ピン41が植立されている。この係合ピン41は、カートリッジ保持板24に設けた一方のカートリッジ保持部25にディスクカートリッジ１の挿脱方向に亘ってやや湾曲されて穿設された係合溝42に係合される。第２の回動レバー39は、係合ピン41を係合溝42に係合させることにより、第１の回動レバー37が支軸36を中心にして回動されるとき、係合ピン41が植立された先端側がカートリッジ保持部25とほぼ平行な方向に移動するように支軸38を中心に回動され、先端側に取り付けたカートリッジ保持部材40をディスクカートリッジ１の挿脱方向にほぼ平行に移動させる。
カートリッジ保持部材40は、合成樹脂を成形して形成され、先端側に第１のディスクカートリッジ１の一側に設けた係合凹部20に係合する係合爪43が設けられ、基端部側を係合ピン41に支持させ、この係合ピン41を中心に回動可能に取り付けられている。また、カートリッジ保持部材40は、このカートリッジ保持部材40の基端部側と第２の回動レバー39との間に張設された引っ張りバネ44により先端側の係合爪43がカートリッジ保持部25の内方に向かって突出する方向の図９中矢印Ｆ方向に回動付勢されている。
そして、第１の回動レバー37は、支軸36に巻回された図示しないねじりコイルバネにより図９中矢印Ｇ方向に回動付勢されている。第１の回動レバー37は、カートリッジ保持板24の一部を切り起こして形成した回動規制片46に先端側に設けた当接片47を当接させることによりねじりコイルバネ46により回動付勢位置が規制されている。第１の回動レバー37が図９中矢印Ｇ方向に回動付勢されていることにより、第２の回動レバー39は先端側のカートリッジ保持部材40をカートリッジ挿脱口23側に移動させた図９中矢印Ｈ方向に移動されている。
第１の回動レバー37は、カートリッジ保持板24上に回転可能に取り付けられたカム板48が回転操作されることにより、引っ張りバネ44の付勢力に抗して図９中反矢印Ｇ方向に回動され、又は引っ張りバネ44の付勢力を受けた図９中矢印Ｇ方向に回動される。第１の回動レバー37は、中途部に設けた図示しないカムフォロワ45をカム板48の一方の面に形成したカム溝48aに係合させることによってカム板48に関連されている。
カム板48は、カートリッジ保持板24に取り付けられた駆動モータ50によって回転操作されるものであって、連結ギヤ機構51を介して駆動モータ50の出力軸に連結され、駆動モータ50の回転方向に応じて回転操作される。
そして、駆動モータ50が、例えば正転方向に駆動されると、連結ギヤ機構51を介してカム板48が図９中矢印Ｉ方向に回転され、第１の回動レバー37を引っ張りバネ44の付勢力に抗して図９中反矢印Ｇ方向に回動し、第２の回動レバー39は先端側のカートリッジ保持部材40をカートリッジ挿脱口23側に移動させた装置本体22の内方に向かう図９中反矢印Ｈ方向に移動させる。第２の回動レバー39が図９中反矢印Ｈ方向に移動されることにより、第２の回動レバー39に支持されたカートリッジ保持部材40も同方向に移動され、このカートリッジ保持部材40に係合凹部20を係合された第１のディスクカートリッジ１が装置本体22の内方に引き込まれる。
ところで、カートリッジ保持板24は、第１のディスクカートリッジ１の挿脱を可能となす第１の位置と第１のディスクカートリッジ１に収納された光ディスク２に対し情報信号の記録及び／又は再生を行う第１の位置より降下した第２の位置との間に亘って昇降可能に支持されている。カートリッジ保持板24は、カートリッジ引き込み機構35によって昇降が制御されてなり、このカートリッジ保持板24に保持された第１のディスクカートリッジ１を装置本体22の内方の引き込み位置に引き込んだとき、第２の位置に降下され、第１のディスクカートリッジ１を第２の位置に移動させる。
また、カートリッジ保持板24は、第２の位置に降下された状態にあるとき、カートリッジ引き込み機構35を構成する駆動モータ50が逆転駆動し、カム板48の回転によって第１の位置方向に上昇される。ここからさらに駆動モータ50が逆転駆動し、カム板48が図10中矢印Ｉ方向に回転されると、第１の回動レバー37は引っ張りバネ44の付勢力を受けて図９中矢印Ｇ方向に回動し、第２の回動レバー39は先端側のカートリッジ保持部材40をカートリッジ挿脱口23側に移動させ、このカートリッジ保持部材40に係合した第１のディスクカートリッジ１をカートリッジ挿脱口23を介して装置本体22の外方に突出させる。
第１のディスクカートリッジ１が用いられる上述したディスク記録及び／又は再生装置21は、カートリッジ保持板24の下面側には、カートリッジ保持板24に保持された第１のディスクカートリッジ１に収納された光ディスク２に情報信号の記録及び／又は再生を行うための記録及び／又は再生部を構成するディスク回転操作機構55及び光ピックアップ装置56が配設されている。ディスク回転操作機構55及び光ピックアップ装置56は、装置本体22内に配設されたベース57を介して取り付けられ、カートリッジ保持板24に設けた開口部58を介して、カートリッジ保持板24の上方側に臨まされている。
上述のように構成されたディスク記録及び／又は再生装置21に第１のディスクカートリッジ１をローディングする状態を説明する。
第１のディスクカートリッジ１をローディングするには、カートリッジ保持板24をディスク回転操作機構55及び光ピックアップ装置56から離間した上昇側の位置である第１の位置に置く。そして、第１のディスクカートリッジ１は、シャッタ11が取り付けられた側を挿入端としてカートリッジ挿脱口23を介して装置本体22内に挿入する。装置本体22に挿入された第１のディスクカートリッジ１は、挿入端側に直交する両側がカートリッジ保持部25,26に保持されてカートリッジ保持板24上に載置される。このとき、回動アーム29の先端に設けた開閉ピン30がシャッタ11に設けた一方の開閉ピン係合部18に対向する。さらに第１のディスクカートリッジ１を装置本体22の内方に挿入すると、開閉ピン30が一方の開閉ピン係合部18に係合する。開閉ピン30が開閉ピン係合部18に係合した状態からさらに第１のディスクカートリッジ１を装置本体22の内方に挿入すると、回動アーム29がねじりコイルバネ32の付勢力に抗して図10中反矢印Ｅ方向に回動される。この回動アーム29の回動に伴ってシャッタ11は、カートリッジ本体３に設けた記録及び／又は再生用の開口部７を開放する方向に移動され、この開口部７を開放する。
また、開閉ピン30が開閉ピン係合部18に係合した後、第１のディスクカートリッジ１をわずかに装置本体22の内方に挿入すると、カートリッジ引き込み機構35のカートリッジ保持部材40が第１のディスクカートリッジ１の係合凹部20に係合し、第１のディスクカートリッジ１のカートリッジ保持板24への挿入操作が完了する。
カートリッジ保持部材40が第１のディスクカートリッジ１の係合凹部20に係合する位置まで第１のディスクカートリッジ１が挿入されたことが図示しない検出手段によって検出されると、駆動モータ50が正転方向に駆動を開始し、連結ギヤ機構51を介してカム板48が図９中矢印Ｉ方向に回転され、第１の回動レバー37を引っ張りバネ44に付勢力に抗して図10中反矢印Ｇ方向に回動し、第２の回動レバー39を図10中反矢印Ｈ方向に移動させる。そして、第２の回動レバー39に支持されたカートリッジ保持部材40の係合爪43が係合凹部20に係合された第１のディスクカートリッジ１は、カートリッジ保持部25,26に両側をガイドされ、図11に示すように、このディスクカートリッジ１に収納した光ディスク２のセンター穴2aがディスク回転操作機構55のディスクテーブル55aに対向する装置本体２内方の引き込み位置まで引き込まれる。
このとき、シャッタ11は、第１のディスクカートリッジ１の挿入にともなって回動される回動アーム29により記録及び／又は再生用の開口部７を完全に解放した位置に移動されている。
ここからさらに駆動モータ50が正転駆動すると、カム板48が図11中矢印Ｉ方向に回転され、カートリッジ保持板24がディスク回転操作機構55及び光ピックアップ装置56側に降下した第２の位置側に移動する。カートリッジ保持板24が第２の位置側に降下されると、第１のディスクカートリッジ１に収納された光ディスク１は、ディスク回転操作機構55のディスクテーブル55a上に載置され、このディスクテーブル55aとクランプ部材８とによってクランプされ、ディスクテーブル55aと一体に回転可能な状態となる。ここで、ディスク回転操作機構55が回転駆動を開始し、光ピックアップ装置56が光ディスク２の径方向に移動し、光ピックアップ装置56から出射される光ビームによって光ディスク２の信号記録面が走査されることによって情報信号の記録及び／又は再生が行われる。
光ディスク２に対する情報信号の記録及び／又は再生操作が完了し、装置本体22に設けた図示しないイジェクト釦を操作すると、駆動モータ50が逆転駆動し、カム板48が回転されることによりカートリッジ保持板24がディスク回転操作機構55及び光ピックアップ装置56から離間する第１の位置方向に上昇される。このカートリッジ保持板24の上昇に伴って第１のディスクカートリッジ１も上昇する。ここからさらに駆動モータ50が逆転駆動し、カム板48が図11中矢印Ｉ方向に回転されると、第１の回動レバー37は引っ張りバネ44の付勢力を受けて図11中矢印Ｇ方向に回動し、第２の回動レバー39が先端側のカートリッジ保持部材40をカートリッジ挿脱口23側に移動させ、図10に示すように、このカートリッジ保持部材40に係合した第１のディスクカートリッジ１をカートリッジ挿脱口23を介して装置本体22の外方に突出させる。第１のディスクカートリッジ１は、カートリッジ挿脱口23を介して装置本体22の外方に突出された部分を把持して引き出すことによって装置本体22から取り出される。
第１のディスクカートリッジ１のシャッタ11は、第１のディスクカートリッジ１がカートリッジ挿脱口23側への移動に伴って、回動アーム29がねじりコイルバネ32の付勢力を受けて図11中矢印Ｅ方向に回動されることにより、カートリッジ本体３内に設けた引っ張りバネの付勢力を受けて移動され、記録及び／又は再生用の開口部７を閉塞する。
本発明に係る第２のディスクカートリッジ101は、上述したような第１のディスクカートリッジ１が用いられるディスク記録及び／又は再生装置21に、第１のディスクカートリッジ１と互換性をもってローディングされるものである。したがって、本発明に係る第２のディスクカートリッジ101は、外形形状が上述した第１のディスクカートリッジ１とほぼ一致する大きさに形成されている。
以下、本発明に係るディスクカートリッジである第２のディスクカートリッジ101を図面を参照して説明する。
この第２のディスクカートリッジ101は、図12及び図13に示すように、前述した第１のディスクカートリッジ１がローディングされるディスク記録及び／又は再生装置21に挿入保持されるホルダ106と、このホルダ106に対して移動可能に配設された光ディスク105（以下、ディスク105と称する。）が載置されるトレイ107とを備えている。
ホルダ106は、図14及び図15に示すように、合成樹脂を用いて形成され、略矩形状をなす主面部106aのディスク記録及び／又は再生装置21への挿脱方向と平行な相対向する両側にそれぞれ一体に側壁106b,106bが形成されている。
このホルダ106には、主面部106aの中央部に、クランプ部材取付用の円形をなす開口部110が設けられている。そして、ホルダ106の内面側であって、開口部110の外周囲に位置して複数の支持爪110aが開口部110の内方側に向かって突設され、これら支持爪110aによってディスク105のセンター穴105aの周縁部をディスク回転操作機構55のディスクテーブル55aと共同してクランプするためのクランプ部材109が回転自在に支持されている。
また、ホルダ106の主面部106aには、この第２のディスクカートリッジ101のディスク記録再生装置21への挿入端には、ディスク記録及び／又は再生装置21に設けられたシャッタ開閉機構27を構成する回動アーム29に設けた開閉ピン30が係合する係合部111が切り欠かれている。この係合部111は、図14及び図15に示すように、ディスク記録及び／又は再生装置21に対する挿脱方向に平行な中心線に対して対称に、中央部から各側壁106b,106bに向かって凹状切り欠かれた第１の係合溝111a及び第２の係合溝111bとを備えている。
また、ホルダ106の主面部106aのディスク記録及び／又は再生装置21への挿入端側に対向する一端側には、円弧状に切り欠かれた引き出し用切欠き部112が形成されており、この引き出し用切欠き部112によって、ホルダ106に挿入されたトレイ107の引き出し操作を行う操作性の向上が図られている。
また、ホルダ106の主面部106aの内面側には、ディスク記録及び／又は再生装置21への挿脱方向と平行に、各側壁106b,106bに沿って断面凹状をなす一対のガイド溝113,113が形成されている。これらガイド溝113,113は、ディスク記録及び／又は再生装置21への挿入端側を開放している。各ガイド溝113,113は、第２のディスクカートリッジ10１をディスク記録及び／又は再生装置21に挿入するとき、装置本体22の外方側に位置する一端側に、略Ｕ字状をなす突き当て片113a,113aが一体に突設されている。これら突き当て片113a,113aは、各ガイド溝113,113の一端側を閉塞し、ホルダ106に移動可能に支持されたトレイ107をホルダ106から引き出したとき、ホルダ106からの脱落を防止する。
また、ホルダ106の主面部106aには、図14及び図15に示すように、ディスク記録及び／又は再生装置21への挿入側に位置してトレイ107に係合する係合突部114,114が突設されている。
さらに、ホルダ106の主面部106aの一端側の両側、すなわち引き出し用開口部112の両側に、図12及び図14に示すように、このホルダ107に挿入されたトレイ107の一部と重ね合わせられ、トレイ107とともに把持される把持部115,115が設けられている。これら把持部115,115の外面側には、図14に示すように、手指を掛けるため複数の凹凸部115a,115ａが形成されている。これら把持部115,115は、トレイ107をホルダ106とともにディスク記録及び／又は再生装置21から引き出し操作する際の操作性の向上が図っている。
また、ホルダ106の各側壁106b,106bの相対向する内面側には、図16に示すように、トレイ７を移動自在に支持するガイド溝116,116が、長手方向に亘って形成されている。これらガイド溝116,116は、一端部116a,116aを主面部106aの一端側に開口させている。
さらに、ホルダ106の各側壁106b,106bには、図16に示すように、主面部106aの挿入端側に位置して、ディスク記録及び／又は再生装置21側に設けられるカートリッジ引き込み機構35のカートリッジ係合部材40が係合する係合孔117が設けられている。この係合孔117は、図16に示すように、略矩形状に形成されている。
さらにまた、ホルダ106の各側壁106b,106bの外側面側の把持部115,115が形成された側に位置して、図12及び図16に示すように、複数の凹凸部からなる指掛け部118,118が形成されている。これら指掛け部118,118は、トレイ107をホルダ106から引き出し操作する際、ホルダ106を確実に把持し、トレイ107をホルダ６から確実に独立して引き出し得るようにするものである。
ホルダ106のディスク記録及び／又は再生装置21への挿入端側には、このホルダ106に移動可能に保持されたトレイ107の挿入端方向への移動を規制し、ホルダ106からの脱落を防止するための係止部141,142が設けられている。これら係止部141,142は、図15に示すように、トレイ107の挿入端側に垂下するように形成された、規制片141a,142aとホルダ106の内面側に延長された支持片141b,142bとからなり、断面コ字状に形成され、トレイ107の挿入端側の両側の一部が係合されるように形成されている。
一方、ホルダ106に移動可能に保持されるトレイ107は、図17及び図18に示すように、合成樹脂を成形して略矩形状に形成されており、一方の面側に、前述した第１のディスクカートリッジ１に収納される光ディスク２と同様に直径を120mmとなすディスク105が載置される凹状の円形をなす第１のディスク載置部120と、直径を80mmとなすディスクが載置される凹状の円形をなす第２のディスク載置部121が同心円状に形成されている。なお、小径の第２のディスク載置部121は、第１のディスク載置部120の底部を凹状に形成して構成される。
また、トレイ10７には、この第２のディスクカートリッジ101をディスク記録及び／又は再生装置21にローディングしたとき、ディスク記録及び／又は再生装置21に配設される光ピックアップ装置56及びディスク回転操作機構55のディスクテーブル55aを第１及び第２のディスク対置部120,121に臨ませる記録及び／又は再生用開口部122が設けられている。この記録及び／又は再生用開口部122は、図17に示すように、トレイ107の左右方向の中央部に位置して、第１及び第２のディスク対置部120,121に中央部からディスク記録及び／又は再生装置21への挿入端側に亘って形成されている。この開口部122の開口縁には、図17に示すように、第１又は第２のディスク載置部120,121に載置されたディスク105の中央部を支持する略Ｕ字状の支持突部122aが一体に突出形成されている。
そして、トレイ107のディスク記録及び／又は再生装置21への挿入端側には、図17及び図18に示すように、ホルダ106の係合部111に係合するディスク記録及び／又は再生装置21側に設けられた回動アーム29の開閉ピン30の係合を解除させるための係合解除部123が設けられている。この係合解除部123は、記録及び／又は再生用開口部122のディスク記録及び／又は再生装置21への挿入端側を閉塞するように設けられ、トレイ107がホルダ106に対し重ね合わせられるように挿入されるとき、係合部111に重ね合わせられていくことによって、係合部111に係合する開閉ピン30を押圧し、回動アーム29をねじりコイルバネの付勢力に抗して回動させて開閉ピン30の係合部111への係合を解除させる。
また、トレイ10７には、第１のディスク載置部120の外周囲に位置して、第１の載置部120に載置されたディスク105の外周縁側を支持し、ディスク105の第１のディスク載置部120からの脱落を防止するための複数のディスク支持部材125が設けられている。これらの支持部材125は、図17に示すように、先端側のディスク支持部が第１にディスク載置部120内に出没するように、第１のディスク載置部120の外周囲に突設した取付け穴124を介して回転自在にそれぞれ取り付けられる。これらディスク支持部材125は、トレイ107が垂直に立てられた場合であっても、第２のディスク載置部120に載置されたディスク105の脱落を防止する。
トレイ107の一方の面側には、図17に示すように、トレイ107をホルダ106に挿入したとき、ホルダ106側に設けたガイド溝113,113に係合する係合突部126,126が突設されている。これら係合突部126,126は、トレイ107のディスク記録及び／又は再生装置21への挿入端側の両側に位置して設けられている。
また、トレイ107のホルダ106と対向する一方の面側に位置して、トレイ107を図12に示すようにホルダ106に重ね合わせたとき、ホルダ106に設けた係合突部114,114に相対係合する係合凹部130,130が設けられている。これら係合凹部130,130は、トレイ107のディスク記録及び／又は再生装置21への挿入端側の両側に位置して設けられている。
トレイ107は、ホルダ106に重ね合わせたとき、係合突部114,114と係合凹部130,130が相対係合することにより、ホルダ106に対する重ね合わせ位置が保持され、第１及び第２のディスク載置部120,121に載置したディスク105を確実に保持することができる。
なお、係合突部114,114と係合凹部130,130には、互いに係脱を容易に行い得るように一方の側に傾斜面が形成されている。
トレイ107のホルダ106に対する挿入方向と平行な両側には、図18及び図19に示すように、このトレイ107をホルダ106に挿入したとき、ホルダ106の両側に設けたガイド溝116,116に係合するガイド部となる突条部128,128及び129,129が一対ずつ設けられている。これら突条部128,128及び129,129は、図19に示すように、トレイ107のディスク記録及び／又は再生装置21への挿入端側及び一端側に分割して設けられている。
さらに、トレイ107のディスク記録及び／又は再生装置21への挿入端側と対向する一端側の両側には、図17に示すように、トレイ107のみを把持しホルダ106に対し独立して引き出しを可能となす把持部134,134が設けられている。これら把持部134,134は、図12に示すように、トレイ107をホルダ106内に挿入し、このトレイ106に重ね合わせたとき、トレイ107の一端側に設けた引き出し用切欠き部112を介して外方に臨む位置に設けられている。把持部134,134の一方の面側には、手指を掛けたときの滑り止めとなる凹凸部134aが形成されている。
さらにまた、トレイ107のディスク記録及び／又は再生装置21への挿入端の両側には、図17及び図18に示すように、ホルダ106に重ね合わせて一体化してディスク記録及び／又は再生装置21に挿入されたとき、ディスク記録及び／又は再生装置21側に設けられるカートリッジ引き込み機構35のカートリッジ係合部材40が係合する係合凹部135,135が設けられている。これら係合凹部135,135は、図12に示すように、第１のディスク載置部120がホルダ106によって覆われるようにトレイ106が重ね合わせられたとき、ホルダ106側に設けられた係合孔117,117連通する位置に設けられる。このように係合凹部135,135を設けることにより、ホルダ106とトレイ107とが同時にカートリッジ保持部材40に係合される。このように係合孔117,117と係合凹部135,135を設けることにより、ホルダ106とトレイ107とは、１のカートリッジ引き込み機構35によって同時に引き込み操作が行われることになり、カートリッジ引き込み機構35の簡素化を図ることができると同時に、ディスク105が載置されたトレイ107を確実にディスク記録及び／又は再生装置装置21にローディングすることができる。
さらに、トレイ107の他方の面側には、図18に示すように、この第２のディスクカートリッジ101がディスク記録及び／又は再生装置21のカートリッジ装着部にローディングされたとき、カートリッジ装着部側に設けた位置決めピン61,62が係合する円形状の第１の位置決め孔132と楕円形の第２の位置決め孔133が設けられている。これら第１及び第２の位置決め孔132,133は、トレイ107の一端側の両側に位置して設けられている。
さらにまた、トレイ107の相対向する両側には、第１のディスク載置部120に載置されたディスク105を取り出すとき、このディスク105の外周縁に手指を掛けることを可能となす指掛け用凹部137,137が設けられている。これら指掛けよう凹部137,137は、第１のディスク載置部120の底面に至る深さをもって形成されている。
なお、トレイ107には、図示しないが、ディスク105に対して誤って情報信号を記録することにより先に記録された情報信号を消去することを防止するための誤消去防止孔を設けてもよい。
上述のように構成された本発明に係る第２のディスクカートリッジ101のホルダ106とトレイ107は、トレイ107をホルダ106の側壁106b,106b間に挿入することによって一体的に組み合わせられる。このとき、トレイ107は、第１及び第２のディスク載置部120,121が設けられた一方の面側をホルダ106に対向させてこのホルダ106に挿入される。また、トレイ107は、一方の面側に設けた係合突部126,126をホルダ106のガイド溝113,113にそれぞれ係合させ、さらに、相対向する両側に設けたけた突条部128,128及び129,129をホルダ106の側壁106b,106bの内面に形成したガイド溝116,116に係合させることによって、これらガイド溝113,113及びガイド溝116,116にガイドされて、図13中矢印Ｘ方向及び矢印Ｙ方向に移動可能にホルダ106に保持される。
ホルダ106に保持されたトレイ107は、一端側を押し込むことにより突条部128,128及び129,129がガイド溝113,113及びガイド溝116,116にガイドされ図12中矢印Ｘ方向に移動され、図12に示すように、第１のディスク載置部120がホルダ106によって覆われるようにホルダ106に重ね合わせられる。このとき、トレイ107側の係合凹部130,130にホルダ106側の係合突部114,114が係合し、トレイ107のホルダ106に対する重ね合わせ位置が保持され、第１及び第２のディスク載置部102,121がホルダ107によって覆われた状態が確実に保持される。さらに、トレイ107の挿入端側の両側の一部が係止部141,142に係合されることにより、ホルダ107に対する更なる挿入が規制され、ホルダ107に確実に保持される。
ホルダ106に重ね合わせられたトレイ107は、ホルダ107を固定し、一端側のいずれか一方の把持部134を把持し、図１３中矢印Ｙ方向に引き出すと、係合凹部130,130に対する係合突部114,114の係合が外れ、図12中矢印Ｙ方向への更なる引き出しが可能となる。そして、トレイ107をさらに引き出し、係合突部126,126が突き当て片113a,113aに突き当てられて移動が規制される位置まで引き出すと、第１及び第２のディスク載置部120,121が開放され、これら第１又は第２のディスク載置部120,121に対するディスク105の交換を行うことが可能となる。
ディスク105を交換した後、再びトレイ107をホルダ106に差し込むことにより、第１及び第２のディスク載置部120,121がホルダ107によって覆われ、トレイ107とホルダ106が一体化された状態となり、第１のディスクカートリッジ１と大きさをほぼ一致させた第２のディスクカートリッジ101となる。
次に、本発明に係る第２のディスクカートリッジ101を第１のディスクカートリッジ１がローディングされる前述したディスク記録及び／又は再生装置21にローディングし、ディスク記録及び／又は再生装置21に保持させた状態でトレイ107に載置されたディスク105を交換する状態を説明する。
第２のディスクカートリッジ101をディスク記録及び／又は再生装置21にローディングするには、トレイ107をホルダ106に挿入し、これらトレイ107とホルダ106を図12に示すように一体化しておく。
第２のディスクカートリッジ101がローディングされるときには、ディスク記録及び／又は再生装置21は、前述した第１のディスクカートリッジ１をローディングする場合と同様に、カートリッジ保持板24をディスク回転操作機構55及び光ピックアップ装置56から離間した上昇側の位置である第１の位置に置く。
そして、第２のディスクカートリッジ101は、開閉ピン30が係合する係合部111が設けられた挿入端側からカートリッジ挿脱口23を介して装置本体22内に挿入される。装置本体22に挿入された第２のディスクカートリッジ101は、挿入端側に直交する両側がカートリッジ保持部25,26に保持されてカートリッジ保持板24上に載置される。
さらに第２のディスクカートリッジ101を装置本体22の内方に挿入すると、ホルダ106に重ね合わせられ、開閉ピン30が係合する係合部111を閉塞した状態におくトレイ107の挿入端側に設けた係合解除部123に開閉ピン30が当接される。そして、開閉ピン30の係合部111への係合が規制された状態におかれる。
開閉ピン30が係合解除部123に当接された後、さらに第２のディスクカートリッジ101をわずかに装置本体22の内方に挿入すると、図21に示すように、カートリッジ引き込み機構35のカートリッジ保持部材40がホルダ106の一方の側に設けた係合孔117に係合する。このとき、トレイ107は、ホルダ106に重ね合わせられているので、ホルダ106の係合孔117に係合凹部135に対向し連通された状態にある。そこで、ホルダ106の係合孔117に係合したカートリッジ保持部材40は、同時に係合凹部135に係合し、ホルダ106とトレイ107を一体的に保持する。
カートリッジ保持部材40がホルダ106及びトレイ107の係合孔117及び係合凹部135に係合する位置まで第２のディスクカートリッジ101が挿入されると、図示しない検出手段によって第２のディスクカートリッジ101が装置本体22内に挿入されたことが検出され、カートリッジ引き込み機構35を構成する駆動モータ50が正転方向に駆動を開始し、連結ギヤ機構51を介してカム板48が図21中矢印Ｉ方向に回転され、第１の回動レバー37を引っ張りバネ44に付勢力に抗して図21中反矢印Ｇ方向に回動し、第２の回動レバー39を図21中反矢印Ｈ方向に移動させる。そして、第２の回動レバー39に支持されたカートリッジ保持部材40の係合爪43が係合孔117及び係合凹部135に係合された第２のディスクカートリッジ101は、カートリッジ保持部25,26に両側をガイドされ、図22に示すように、このディスクカートリッジ101に収納したディスク105のセンター穴105aがディスク回転操作機構55のディスクテーブル55aに対向する装置本体２内方の引き込み位置まで引き込まれる。
ここからさらに駆動モータ50が正転駆動すると、カム板48が図22中矢印Ｉ方向に回転され、カートリッジ保持板24がディスク回転操作機構55及び光ピックアップ装置56側に降下した第２の位置側に移動する。カートリッジ保持板24が第２の位置側に降下されると、第２のディスクカートリッジ101に収納されたディスク101は、ディスク回転操作機構55のディスクテーブル55a上に載置され、このディスクテーブル55aとホルダ106に設けたクランプ部材109とによってクランプされ、ディスクテーブル55aと一体に回転可能な状態となる。ここで、ディスク回転操作機構55が回転駆動を開始し、光ピックアップ装置56が光ディスク２の径方向に移動し、光ピックアップ装置56から出射される光ビームによってディスク105の信号記録面が走査されることによって情報信号の記録及び／又は再生が行われる。
光ディスク２に対する情報信号の記録及び／又は再生操作が完了し、装置本体22に設けた図示しないイジェクト釦を操作すると、駆動モータ50が逆転駆動し、カム板48が回転されることによりカートリッジ保持板24がディスク回転操作機構55及び光ピックアップ装置56から離間する第１の位置方向に上昇される。このカートリッジ保持板24の上昇に伴って第１のディスクカートリッジ１も上昇する。ここからさらに駆動モータ50が逆転駆動し、カム板48が図22中矢印Ｉ方向に回転されると、第１の回動レバー37は引っ張りバネ44の付勢力を受けて図22中矢印Ｇ方向に回動し、第２の回動レバー39が先端側のカートリッジ保持部材40をカートリッジ挿脱口23側に移動させ、図21に示すように、このカートリッジ保持部材40に係合した第２のディスクカートリッジ101をカートリッジ挿脱口23を介して装置本体22の外方に突出させる。
このとき、第２のディスクカートリッジ101は、図21に示すように、カートリッジ保持部材40がホルダ106及びトレイ107の係合孔117及び係合凹部135に係合された状態にあり、カートリッジ挿脱口23から一端側を突出させた状態で装置本体22内に保持されている。
この状態で、ユーザは把持部134を把持しトレイ107を図21中矢印Ｙ方向に引き出すと、カートリッジ保持部材40が係合凹部135の一側により押圧され引っ張りバネ44の付勢力に抗して図21中反矢印Ｆ方向に回動され、係合凹部135への係合が解除され、ホルダ106側の係合孔117にのみ係合された状態となされ、ホルダ106のみがカートリッジ保持板24に保持された状態におかれる。このとき、ホルダ106とトレイ17を一体化するように相対係合された係合突部114,114と係合凹部130,130の係合も解除され、トレイ107のみが移動可能となる。
トレイ107のみがホルダ106から離れ独立して移動すると、係合解除部123に開閉ピン30を当接させ、ねじりコイルバネ32の付勢力に抗して回動させられていた回動アーム29がねじりコイルバネ32の付勢力を受けて図21中矢印Ｅ方向に回動される。そして、回動アーム29は、トレイ107の図23中矢印Ｙ方向の更なる引き出し操作に追随して開閉ピン30を係合解除部123に圧接させながら図23中矢印Ｅ方向に回動される。
そして、トレイ107がホルダ106から離れ、図23中矢印Ｙ方向の装置本体22の外方に引き出されていき、係合解除部123によって覆われていた係合部111が開放されていくと、係合解除部123に当接している開閉ピン30が係合部111内に進入していく。トレイ107がさらに装置本体22の外方に引き出されると、開閉ピン30の係合解除部123から離れる。このとき、ホルダ106は、係合孔117にカートリッジ保持部材40が係合し、装置本体22内の挿入位置に移動が規制されて保持されているので、開閉ピン30が係合部111の第２の係合溝111bに係合する。
ホルダ106が、第２の係合溝111bに開閉ピン30が係合すると、回動アーム29によって図23中矢印Ｙ方向の装置本体22への移動が規制され、装置本体22内の挿入位置に保持された状態におかれる。ここからさらにトレイ107のみを図23中矢印Ｙ方向の装置本体の外方に引き出すことにより、第１及び第２のディスク載置部120,120を装置本体22の外方に臨ませることができ、第１又は第２のディスク載置部120,121に載置されたディスク105の交換を可能な状態となす。このとき、トレイ107は、係合突部126,126が突き当て片113a,113aに突き当てられ、ホルダ106からの引き出しが規制され、装置本体22に保持された状態におかれる。
このように、本発明に係る第２のディスクカートリッジ101は、ディスク記録及び／又は再生装置21に装着させたままの状態でディスク105の交換を行うことができる。
ディスク105の交換を行った後、トレイ107を装置本体22の内方に挿入すると、図23に示すように、挿入端側に設けた係合解除部123が係合部111の第２の係合溝111bに係合された開閉ピン30に当接する。ここからさらにトレイ107を装置本体22の内方の図23中矢印Ｘ方向に挿入すると、係合解除部123によって開閉ピン30が押圧され、回動アーム29がねじりコイルバネ32の付勢力に抗して図23中反Ｅ方向に回動される。そして、係合解除部123が係合部111に重なる位置までトレイ107が装置本体22内に挿入されると、係合解除部123によって回動アーム29がねじりコイルバネ32の付勢力に抗して図23中反Ｅ方向にさらに回動され、開閉ピン30が係合部111から離脱される。
そして、係合解除部123が係合部111に重なる位置までトレイ107を装置本体22内に挿入すると、ホルダ106の係合孔１17に係合しているカートリッジ保持部材40が係合凹部135に係合し、トレイ107はホルダ106と一体化され、ホルダ106に重ね合わせられ、第１のディスクカートリッジ１と同様の形態をなす第２のディスクカートリッジ101となる。
ここで、カートリッジ引き込み機構35を駆動すると、第２のディスクカートリッジ101はカートリッジ保持板24に保持された状態でディスク回転操作機構55及び光ピックアップ装置56側に近接した第２の位置に移動され、交換した新たなディスク105の記録及び／又は再生を可能な状態となす。
第２のディスクカートリッジ101をディスク記録及び／又は再生装置21からイジェクトする場合には、ホルダ106とトレイ107とが重ね合わせられた状態で、第２のディスクカートリッジ101がカートリッジ引き込み機構35によって引き込まれる前の一端側の一部がカートリッジ挿脱口23が突出された図21に示す状態において、ホルダ106に設けた把持部115を介して、トレイ107とともにホルダ106を把持する。そして、ホルダ106及びトレイ107を図21中矢印Ｙ方向に引き出すことにより、第２のディスクカートリッジ101の全体のイジェクトが行われる。
このとき、係合部111が係合解除部123に覆われた状態にあるので、回動アーム29のホルダ106への係合が規制され、また、係合部材40は、ホルダ106及びトレイ10７の移動に伴って同時にホルダ106の係合孔117及びトレイ107の係合凹部135への係合が解除される
なお、上述した本発明に係る第２のディスクカートリッジ101は、ホルダ６に対してトレイ７が移動自在に保持された構成とされたが、ホルダ６に対して引き出されるトレイ７の移動量を大きく確保するために、延長用スライダ158を配設する構成としてもよい。
延長用スライダ158を備える本発明に係る第２のディスクカートリッジの他の例を図25を参照して説明する。なお、このディスク用カートリッジ102は、上述したディスクカートリッジ101と基本構成をほぼ共通にするので、同一部分については同一符号を付して詳細な説明を省略する。
この第２のディスクカートリッジ102は、図25に示すように、トレイ157に設けた第１及び第２のディスク載置部120,121を覆うホルダ156と、このホルダ156に対して移動自在に配設されディスク５が載置されるトレイ157と、ホルダ156に対するトレイ157の引き出し移動量を延長する延長用スライダ158とを備えている。
トレイ157のホルダ156に対する挿入方向と平行な両側には、図25及び図26に示すように、突条部161,161及び162,162が一対ずつ設けられている。トレイ157は、各突条部161,161が、ホルダ156のガイド溝116に係合される。延長用スライダ158は、ホルダ156に移動自在に支持されるとともにトレイ157を移動自在に支持する一対の支持部158a,158bと、これら支持部158a,158bを連結する連結部158cとから構成されている。これら支持部158a,158bには、移動方向と平行な相対向する側面の内面側にディスク記録及び／又は再生装置21に対する挿脱方向に平行なガイド溝163,163がそれぞれ設けられている。これらガイド溝163,163にトレイ57の他方の突条部162,162が移動自在にそれぞれ係合されている。
また、支持部158a,158bには、外方側の側面にガイド用突部164,164がそれぞれ一体に突出形成されている。これらガイド用突部164,164は、ホルダ156のガイド溝116,116に移動自在にそれぞれ挿通される。さらに、支持部158a,158bには、トレイ157に対向する一端面には、トレイ157のディスク記録及び／又は再生装置21への挿入側の端面が突き当てられる突き当て部165,165が突設されている。
また、支持部158a,158bの一方の面側には、図示しないが、ガイド突部が一体に形成されており、ホルダ156の一方の面側に形成されたガイド溝に移動自在に係合されている。さらに、支持部158a,158bの他方の面側には、図示しないが、ガイド溝が形成されており、このガイド溝にトレイ157の一方の面に一体に突設されたガイド突部が移動自在に係合されている。連結部158cは、各支持部158a,158bを連結するようにこれら支持部158a,158bに亘って一体に形成されている。
なお、延長用スライダ158は、第２のディスクカートリッジ102をディスク記録及び／又は再生装置21に保持させた状態でトレイ157の装置本体22からの引き出し量等を考慮してその長さが適宜設定される。
以上のように構成された第２のディスクカートリッジ102について、ホルダ156に対するトレイ157及び延長用スライダ158の動作を図27及び図28を参照して説明する。
このディスクカートリッジ102は、図26に示すように、ホルダ156に対してトレイ157が引き出される際、ホルダ156のガイド溝116に沿って、トレイ157の突条部161,161及び延長用スライダ158の突条部164がそれぞれ移動されるとともに、延長用スライダ158のガイド溝163に沿ってトレイ157の突条部162が移動されることによって、トレイ157が引き出される。すなわち、ディスクカートリッジ102は、ホルダ156に対してトレイ157及び延長用スライダ158が連動して移動操作される。
そして、トレイ157に載置されたディスク105が交換された後、このディスクカートリッジ102は、図27に示すように、ホルダ156に対してトレイ157が押し込まれる際、トレイ157の突条部162が延長用スライダ158のガイド溝163の一端部に突き当てられて、トレイ157と共に延長用スライダ158がホルダ156に対して移動されて押し込まれる。そして、トレイ157は、突条部161がホルダ156のガイド溝116の開口端から係合される。
上述した第２のディスクカートリッジ102によれば、延長用スライダ158を備えることによって、ホルダ156をディスク記録及び／又は再生装置装置21に保持させた状態でディスク105を交換する際、ホルダ156に対して引き出されるトレイ157の移動量を大きくすることができ、ディスク105の交換が一層容易となる。
また、上述した第２のディスクカートリッジ102は、単一の延長用スライダ158を用いているが、延長用スライダが複数に分割されたものであってもよい。
第１及び第２の延長用スライダ178,179をそれぞれ有する他の第２のディスクカートリッジ103について、図28を参照して説明する。
なお、ここに示す第２のディスクカートリッジ103は、上述した第２のディスクカートリッジ102と基本な構成をほぼ共通にするので、同一部材には同一符号を付して詳細な説明は省略する。
この第２のディスクカートリッジ103は、図28に示すように、トレイ177に設けた第１及び第２のディスク載置部120,121を覆うホルダ176と、ホルダ176に対するトレイ177の引き出し量を延長する第１の延長用スライダ178及び第２の延長用スライダ179とを備えている。
トレイ177には、図28に示すように、ディスク記録及び／又は再生装置21への挿入端側に位置して、ホルダ176の係合部111に係合されたディスク記録及び／又は再生装置21の回動アーム29との係合を解除する係合解除部181a,181bが記録及び／又は再生用開口部122に隣接してそれぞれ形成されている。
第１の延長用スライダ178及び第２の延長用スライダ179は、移動方向に平行な側面に設けられた図示しないガイド溝及び突条部を介して、ホルダ176に移動自在に支持されるとともに、トレイ177を移動自在に支持している。
なお、本発明に係る各第２のディスクカートリッジ101,102,103は、ホルダ106,156,176にクランプ部材109を設けているが、クランプ部材109は必ずしも必要としない。
また、本発明に係る第２のディスクカートリッジは、ディスクとして光ディスクに限定されるものでなく、光磁気ディスク等の他の円盤状光記録媒体に適用できることは勿論である。
産業上の利用可能性
上述したように、本発明に係るディスクカートリッジは、従来用いられるディスクカートリッジがローディングされるディスク記録及び／又は再生装置にそのままローディングできるものであり、ディスク記録及び／又は再生装置に保持したままの状態で収納されるディスクの交換を行うことができる。
また、ディスクの交換時にトレイを移動可能に保持するホルダをディスク記録及び／又は再生装置に確実に保持できると共に、その保持機構の構成を簡素化することができる。
【図１】
0003620046.tif 000002
【図８】
0003620046.tif 000003
【図２】
0003620046.tif 000004
【図３】
0003620046.tif 000005
【図１６】
0003620046.tif 000006
【図４】
0003620046.tif 000007
【図５】
0003620046.tif 000008
【図６】
0003620046.tif 000009
【図７】
0003620046.tif 000010
【図９】
0003620046.tif 000011
【図１０】
0003620046.tif 000012
【図１９】
0003620046.tif 000013
【図１１】
0003620046.tif 000014
【図２６】
0003620046.tif 000015
【図２７】
0003620046.tif 000016
【図１２】
0003620046.tif 000017
【図１３】
0003620046.tif 000018
【図１４】
0003620046.tif 000019
【図１５】
0003620046.tif 000020
【図１７】
0003620046.tif 000021
【図１８】
0003620046.tif 000022
【図２０】
0003620046.tif 000023
【図２１】
0003620046.tif 000024
【図２２】
0003620046.tif 000025
【図２３】
0003620046.tif 000026
【図２４】
0003620046.tif 000027
【図２５】
0003620046.tif 000028
【図２８】
0003620046.tif 000029